(57)【特許請求の範囲】
【請求項１】
複数系統の伝送路の何れか１つに切替器を介して夫々接続された複数の通信局夫々が所定信号を時系列的に他の通信局へ送信すると共に他の通信局からの前記所定信号を受信し、前記複数の通信局の何れか１つが前記所定信号を所定時間受信できない場合に、前記所定信号を所定時間受信できなかった通信局が前記複数系統の伝送路の何れか１つに自身を接続している切替器へ切替指示を出力して他の系統の伝送路に接続するように切り替えることにより、他の通信局を前記複数系統の伝送路の何れか１つに接続している切替器夫々も前記他の系統の伝送路と接続するように切り替えられる伝送路の冗長化方法において、
前記所定信号に伝送路の切替状態を示す情報を付加し、前記複数系統の伝送路に前記切替器を介して接続された表示手段に前記情報を表示することを特徴とする伝送路の冗長化方法。
【請求項２】
複数系統の伝送路の何れか１つに複数の通信局を夫々接続する複数の切替器夫々が所定信号を時系列的に他の切替器へ送信すると共に他の切替器からの前記所定信号を受信し、前記複数の切替器の何れか１つが前記所定信号を所定時間受信できない場合に、前記所定信号を所定時間受信できなかった切替器が自身に接続されている系統の伝送路を他の系統の伝送路に切り替えることにより、他の切替器夫々も前記他の系統の伝送路と接続するように切り替えられる伝送路の冗長化方法において、
前記所定信号に伝送路の切替状態を示す情報を付加し、前記複数系統の伝送路に前記切替器を介して接続された表示手段に前記情報を表示することを特徴とする伝送路の冗長化方法。
【請求項３】
複数系統の伝送路に接続された第１通信局が前記複数系統の伝送路の何れか１つへ所定信号を時系列的に送信し、前記複数系統の伝送路の何れか１つに切替器を介して接続される複数の第２通信局が前記第１通信局からの前記所定信号を受信し、前記複数の第２通信局の何れか１つが前記所定信号を所定時間受信できない場合に、前記所定信号を所定時間受信できなかった第２通信局が前記複数系統の伝送路の何れか１つに自身を接続している切替器へ切替指示を出力して他の系統の伝送路に接続するように切り替えることにより、他の第２通信局を前記複数系統の伝送路の何れか１つに接続している切替器夫々も前記他の系統の伝送路と接続するように切り替えられる伝送路の冗長化方法において、
前記所定信号に伝送路の切替状態を示す情報を付加し、前記複数系統の伝送路に前記切替器を介して接続された表示手段に前記情報を表示することを特徴とする伝送路の冗長化方法。
【請求項４】
複数系統の伝送路に接続された第１通信局が前記複数系統の伝送路の何れか１つへ所定信号を時系列的に送信し、前記複数系統の伝送路の何れか１つに複数の第２通信局を夫々接続する複数の切替器夫々が前記第１通信局からの前記所定信号を受信し、前記複数の切替器の何れか１つが前記所定信号を所定時間受信できない場合に、前記所定信号を所定時間受信できなかった切替器が自身に接続されている系統の伝送路を他の系統の伝送路に接続するように切り替えることにより、他の切替器夫々も前記他の系統の伝送路と接続するように切り替えられる伝送路の冗長化方法において、
前記所定信号に伝送路の切替状態を示す情報を付加し、前記複数系統の伝送路に前記切替器を介して接続された表示手段に前記情報を表示することを特徴とする伝送路の冗長化方法。
【請求項５】
複数系統の伝送路に接続された複数の通信局夫々が前記複数系統の伝送路夫々を介して同一情報を他の通信局へ送信し、前記複数の通信局夫々が前記複数系統の伝送路夫々を介して同一情報を他の通信局から受信する伝送路の冗長化方法において、
前記送信される情報には他の通信局での保存アドレスを指定する情報が付加されており、前記複数の通信局夫々は前記複数系統の伝送路夫々を介して他の通信局から受信した同一情報を同一のアドレスに格納することを特徴とする伝送路の冗長化方法。
【請求項６】
複数系統の伝送路と、該複数系統の伝送路の何れか１つに切替指示に応じて選択的に接続する複数の切替器と、夫々の切替器を介して前記複数系統の伝送路の何れか１つと接続されることにより通信を行なう複数の通信局とを含み、
夫々の通信局は、所定信号を時系列的に他の通信局へ送信する送信手段と、他の通信局からの前記所定信号を受信する受信手段と、該受信手段による前記所定信号の受信が所定時間途絶えた場合に前記複数系統の伝送路の何れか１つに自身を接続している切替器へ前記切替指示を出力する出力手段とを備え、前記複数の通信局の何れか１つが前記複数系統の伝送路の何れか１つに自身を接続している切替器を前記切替指示によって他の系統の伝送路と接続するように切り替えた場合に、他の通信局を前記複数系統の伝送路の何れか１つに接続している切替器夫々も前記他の系統の伝送路と接続するように切り替えられるようになしてある伝送路の冗長化システムにおいて、
前記所定信号に伝送路の切替状態を示す情報を付加する付加手段と、
前記通信回線に接続され、前記情報を表示する表示手段と
を備えることを特徴とする伝送路の冗長化システム。
【請求項７】
複数系統の伝送路と、該複数系統の伝送路の何れか１つに選択的に接続する複数の切替器と、夫々の切替器を介して前記複数系統の伝送路の何れか１つと接続されることにより通信を行なう複数の通信局とを含み、
夫々の切替器は、所定信号を時系列的に他の切替器へ送信する送信手段と、他の切替器からの前記所定信号を受信する受信手段とを備え、自身が接続している系統の伝送路を前記受信手段による前記所定信号の受信が所定時間途絶えた場合に他の系統の伝送路に切り替えるように構成されており、前記複数の切替器の何れか１つが自身が接続している系統の伝送路を他の系統の伝送路に切り替えた場合に、他の切替器夫々も前記他の系統の伝送路と接続するように切り替えられるようになしてある伝送路の冗長化システムにおいて、
前記所定信号に伝送路の切替状態を示す情報を付加する付加手段と、
前記通信回線に接続され、前記情報を表示する表示手段と
を備えることを特徴とする伝送路の冗長化システム。
【請求項８】
複数系統の伝送路と、該複数系統の伝送路に接続されていて何れか１つの系統の伝送路へ所定信号を時系列的に送信する第１通信局と、前記複数系統の伝送路の何れか１つに切替指示に応じて選択的に接続する複数の切替器と、夫々の切替器を介して前記複数系統の伝送路の何れか１つと接続されることにより通信を行なう複数の第２通信局とを含み、
夫々の第２通信局は、前記第１通信局からの前記所定信号を受信する受信手段と、該受信手段による前記所定信号の受信が所定時間途絶えた場合に前記複数系統の伝送路の何れか１つに自身を接続している切替器へ前記切替指示を出力する出力手段とを備え、
前記複数の第２通信局の何れか１つが前記複数系統の伝送路の何れか１つに自身を接続している切替器を前記切替指示によって他の系統の伝送路と接続するように切替えた場合に、他の第２通信局を前記複数系統の伝送路の何れか１つに接続している切替器夫々も前記他の系統の伝送路と接続するように切り替えられるようになしてある伝送路の冗長化システムにおいて、
前記所定信号に伝送路の切替状態を示す情報を付加する付加手段と、
前記通信回線に接続され、前記情報を表示する表示手段と
を備えることを特徴とする伝送路の冗長化システム。
【請求項９】
複数系統の伝送路と、該複数系統の伝送路に接続されていて何れか１つの系統の伝送路へ所定信号を時系列的に送信する第１通信局と、前記複数の系統の伝送路の何れか１つに選択的に接続する複数の切替器と、夫々の切替器を介して前記複数系統の伝送路の何れか１つと接続されることにより通信を行なう複数の第２通信局とを含み、
夫々の切替器は、前記第１通信局からの前記所定信号を受信する受信手段を備え、前記受信手段による前記所定信号の受信が所定時間途絶えた場合に自身を接続している系統の伝送路を他の系統の伝送路に切り替えるように構成されており、
前記複数の切替器の何れか１つが自身が接続している系統の伝送路を他の系統の伝送路に切り替えた場合に、他の切替器夫々も前記他の系統の伝送路と接続するように切り替えられるようになしてある伝送路の冗長化システムにおいて、
前記所定信号に伝送路の切替状態を示す情報を付加する付加手段と、
前記通信回線に接続され、前記情報を表示する表示手段と
を備えることを特徴とする伝送路の冗長化システム。
【請求項１０】
複数系統の伝送路と、該複数系統の伝送路に接続された複数の通信局とを含み、前記複数の通信局夫々が前記複数系統の伝送路夫々を介して同一情報を他の通信局へ送信し、前記複数の通信局夫々が前記複数系統の伝送路夫々を介して同一の他の通信局から同一情報を受信すべくなしてある伝送路の冗長化システムにおいて、
前記複数の通信局夫々が前記複数系統の伝送路夫々を介して送信する情報には他の通信局での保存アドレスを指定する情報が付加されており、前記複数の通信局夫々は前記複数系統の伝送路夫々を介して他の通信局から受信した同一情報を同一のアドレスに格納すべくなしてあることを特徴とする伝送路の冗長化システム。
【発明の詳細な説明】
【０００１】
【発明の属する技術分野】
本発明は、複数系統の伝送路を備えた例えばバス型ＬＡＮにおいて、何れかの系統の伝送路に障害が発生した場合に、正常な系統の伝送路に切り替えて用いる伝送路の冗長化方法及びその方法を用いたシステムに関する。
【０００２】
【従来の技術】
図１３は、従来のバス型ＬＡＮの構成を示すブロック図である。図１３において、１はバス型ＬＡＮの幹線伝送路であり、該幹線伝送路１の各ノードから分岐して複数の支線伝送路１０，１０，…が設けられている。また、支線伝送路１０，１０，…の１つにＬＡＮのホスト機能を有する監視制御局３が接続され、他の２つの支線伝送路１０，１０に端末装置としての入出力ターミナル４，４が夫々接続されている。
【０００３】
従来のバス型ＬＡＮは以上の如く構成されており、監視制御局３及び入出力ターミナル４，４の間のデータ伝送を幹線伝送路１及び支線伝送路１０，１０を介して行なう。
【０００４】
このようなバス型ＬＡＮの何れかの伝送路において障害が発生した場合、ＬＡＮ全体の機能が停止する。このため、例えば監視制御局３では、システムがダウンしたことによって障害が発生したことは確認できるが、障害箇所の特定、復旧等を行なうことは不可能である。特に、伝送路の切断等の物理的な障害が発生した場合には、作業員を派遣して目視にて伝送路の切断箇所を調査するか、又は支線伝送路１０，１０…、そして幹線伝送路１の順に伝送路を交換することにより障害箇所を特定した後で、伝送路の補修又は交換を行なっていた。
【０００５】
【発明が解決しようとする課題】
ところが、復旧作業の前提となる障害箇所の特定に多大な時間及び人手を要するため、この復旧までの間、ＬＡＮを使用できないという問題を抱えており、障害箇所の特定は、ＬＡＮの規模が大きくなるに従って困難になる。
【０００６】
なお、特開平６−６２０１７号公報においては、全ての伝送路を２系統とし、一方を常用系伝送路、他方を待機系伝送路とし、例えばＬＡＮ通信において発生したビットエラーを監視し、エラー回数が所定回数に達した場合に、常用系伝送路に障害が発生したと判断して、常用系伝送路から待機系伝送路に切り替える伝送路の冗長化方法が開示されており、これによれば、待機系伝送路に切り替えた後で常用系伝送路の復旧作業を行なうことができるという利点を有している。
【０００７】
本発明は斯かる事情に鑑みてなされたものであり、通常のデータ伝送におけるビットエラーを監視するのではなく、所定時間周期で各通信局が確認信号を送信し、これを受信する各通信局が所定時間以上、前記確認信号の受信が途絶えた場合に、現在使用中の系統の伝送路に障害が発生したと判断し、他の系統の伝送路に切り替えることにより、何れかの系統の伝送路に障害が発生した場合であっても、正常な系統の伝送路を使用している間に、障害箇所の特定、復旧作業を行なうことができる伝送路の冗長化方法及びその方法を用いたシステムを提供することを目的とする。
【０００８】
【課題を解決するための手段】
第１発明に係る伝送路の冗長化方法は、複数系統の伝送路の何れか１つに切替器を介して夫々接続された複数の通信局夫々が所定信号を時系列的に他の通信局へ送信すると共に他の通信局からの前記所定信号を受信し、前記複数の通信局の何れか１つが前記所定信号を所定時間受信できない場合に、前記所定信号を所定時間受信できなかった通信局が前記複数系統の伝送路の何れか１つに自身を接続している切替器へ切替指示を出力して他の系統の伝送路に接続するように切り替えることにより、他の通信局を前記複数系統の伝送路の何れか１つに接続している切替器夫々も前記他の系統の伝送路と接続するように切り替えられる伝送路の冗長化方法において、前記所定信号に伝送路の切替状態を示す情報を付加し、前記複数系統の伝送路に前記切替器を介して接続された表示手段に前記情報を表示することを特徴とする。
【０００９】
第２発明に係る伝送路の冗長化方法は、複数系統の伝送路の何れか１つに複数の通信局を夫々接続する複数の切替器夫々が所定信号を時系列的に他の切替器へ送信すると共に他の切替器からの前記所定信号を受信し、前記複数の切替器の何れか１つが前記所定信号を所定時間受信できない場合に、前記所定信号を所定時間受信できなかった切替器が自身に接続されている系統の伝送路を他の系統の伝送路に切り替えることにより、他の切替器夫々も前記他の系統の伝送路と接続するように切り替えられる伝送路の冗長化方法において、前記所定信号に伝送路の切替状態を示す情報を付加し、前記複数系統の伝送路に前記切替器を介して接続された表示手段に前記情報を表示することを特徴とする。
【００１１】
第３発明に係る伝送路の冗長化方法は、複数系統の伝送路に接続された第１通信局が前記複数系統の伝送路の何れか１つへ所定信号を時系列的に送信し、前記複数系統の伝送路の何れか１つに切替器を介して接続される複数の第２通信局が前記第１通信局からの前記所定信号を受信し、前記複数の第２通信局の何れか１つが前記所定信号を所定時間受信できない場合に、前記所定信号を所定時間受信できなかった第２通信局が前記複数系統の伝送路の何れか１つに自身を接続している切替器へ切替指示を出力して他の系統の伝送路に接続するように切り替えることにより、他の第２通信局を前記複数系統の伝送路の何れか１つに接続している切替器夫々も前記他の系統の伝送路と接続するように切り替えられる伝送路の冗長化方法において、前記所定信号に伝送路の切替状態を示す情報を付加し、前記複数系統の伝送路に前記切替器を介して接続された表示手段に前記情報を表示することを特徴とする。
【００１２】
第４発明に係る伝送路の冗長化方法は、複数系統の伝送路に接続された第１通信局が前記複数系統の伝送路の何れか１つへ所定信号を時系列的に送信し、前記複数系統の伝送路の何れか１つに複数の第２通信局を夫々接続する複数の切替器夫々が前記第１通信局からの前記所定信号を受信し、前記複数の切替器の何れか１つが前記所定信号を所定時間受信できない場合に、前記所定信号を所定時間受信できなかった切替器が自身に接続されている系統の伝送路を他の系統の伝送路に接続するように切り替えることにより、他の切替器夫々も前記他の系統の伝送路と接続するように切り替えられる伝送路の冗長化方法において、前記所定信号に伝送路の切替状態を示す情報を付加し、前記複数系統の伝送路に前記切替器を介して接続された表示手段に前記情報を表示することを特徴とする。
【００１４】
第５発明に係る伝送路の冗長化方法は、複数系統の伝送路に接続された複数の通信局夫々が前記複数系統の伝送路夫々を介して同一情報を他の通信局へ送信し、前記複数の通信局夫々が前記複数系統の伝送路夫々を介して同一情報を他の通信局から受信する伝送路の冗長化方法において、前記送信される情報には他の通信局での保存アドレスを指定する情報が付加されており、前記複数の通信局夫々は前記複数系統の伝送路夫々を介して他の通信局から受信した同一情報を同一のアドレスに格納することを特徴とする。
【００１５】
第６発明に係る伝送路の冗長化システムは、複数系統の伝送路と、該複数系統の伝送路の何れか１つに切替指示に応じて選択的に接続する複数の切替器と、夫々の切替器を介して前記複数系統の伝送路の何れか１つと接続されることにより通信を行なう複数の通信局とを含み、夫々の通信局は、所定信号を時系列的に他の通信局へ送信する送信手段と、他の通信局からの前記所定信号を受信する受信手段と、該受信手段による前記所定信号の受信が所定時間途絶えた場合に前記複数系統の伝送路の何れか１つに自身を接続している切替器へ前記切替指示を出力する出力手段とを備え、前記複数の通信局の何れか１つが前記複数系統の伝送路の何れか１つに自身を接続している切替器を前記切替指示によって他の系統の伝送路と接続するように切り替えた場合に、他の通信局を前記複数系統の伝送路の何れか１つに接続している切替器夫々も前記他の系統の伝送路と接続するように切り替えられるようになしてある伝送路の冗長化システムにおいて、前記所定信号に伝送路の切替状態を示す情報を付加する付加手段と、前記通信回線に接続され、前記情報を表示する表示手段とを備えることを特徴とする。
【００１６】
第７発明に係る伝送路の冗長化システムは、複数系統の伝送路と、該複数系統の伝送路の何れか１つに選択的に接続する複数の切替器と、夫々の切替器を介して前記複数系統の伝送路の何れか１つと接続されることにより通信を行なう複数の通信局とを含み、夫々の切替器は、所定信号を時系列的に他の切替器へ送信する送信手段と、他の切替器からの前記所定信号を受信する受信手段とを備え、自身が接続している系統の伝送路を前記受信手段による前記所定信号の受信が所定時間途絶えた場合に他の系統の伝送路に切り替えるように構成されており、前記複数の切替器の何れか１つが自身が接続している系統の伝送路を他の系統の伝送路に切り替えた場合に、他の切替器夫々も前記他の系統の伝送路と接続するように切り替えられるようになしてある伝送路の冗長化システムにおいて、前記所定信号に伝送路の切替状態を示す情報を付加する付加手段と、前記通信回線に接続され、前記情報を表示する表示手段とを備えることを特徴とする。
【００１８】
第８発明に係る伝送路の冗長化システムは、複数系統の伝送路と、該複数系統の伝送路に接続されていて何れか１つの系統の伝送路へ所定信号を時系列的に送信する第１通信局と、前記複数系統の伝送路の何れか１つに切替指示に応じて選択的に接続する複数の切替器と、夫々の切替器を介して前記複数系統の伝送路の何れか１つと接続されることにより通信を行なう複数の第２通信局とを含み、夫々の第２通信局は、前記第１通信局からの前記所定信号を受信する受信手段と、該受信手段による前記所定信号の受信が所定時間途絶えた場合に前記複数系統の伝送路の何れか１つに自身を接続している切替器へ前記切替指示を出力する出力手段とを備え、前記複数の第２通信局の何れか１つが前記複数系統の伝送路の何れか１つに自身を接続している切替器を前記切替指示によって他の系統の伝送路と接続するように切替えた場合に、他の第２通信局を前記複数系統の伝送路の何れか１つに接続している切替器夫々も前記他の系統の伝送路と接続するように切り替えられるようになしてある伝送路の冗長化システムにおいて、前記所定信号に伝送路の切替状態を示す情報を付加する付加手段と、前記通信回線に接続され、前記情報を表示する表示手段とを備えることを特徴とする。
【００１９】
第９発明に係る伝送路の冗長化システムは、複数系統の伝送路と、該複数系統の伝送路に接続されていて何れか１つの系統の伝送路へ所定信号を時系列的に送信する第１通信局と、前記複数の系統の伝送路の何れか１つに選択的に接続する複数の切替器と、夫々の切替器を介して前記複数系統の伝送路の何れか１つと接続されることにより通信を行なう複数の第２通信局とを含み、夫々の切替器は、前記第１通信局からの前記所定信号を受信する受信手段を備え、前記受信手段による前記所定信号の受信が所定時間途絶えた場合に自身を接続している系統の伝送路を他の系統の伝送路に切り替えるように構成されており、前記複数の切替器の何れか１つが自身が接続している系統の伝送路を他の系統の伝送路に切り替えた場合に、他の切替器夫々も前記他の系統の伝送路と接続するように切り替えられるようになしてある伝送路の冗長化システムにおいて、前記所定信号に伝送路の切替状態を示す情報を付加する付加手段と、前記通信回線に接続され、前記情報を表示する表示手段とを備えることを特徴とする。
【００２１】
第１０発明に係る伝送路の冗長化システムは、複数系統の伝送路と、該複数系統の伝送路に接続された複数の通信局とを含み、前記複数の通信局夫々が前記複数系統の伝送路夫々を介して同一情報を他の通信局へ送信し、前記複数の通信局夫々が前記複数系統の伝送路夫々を介して同一の他の通信局から同一情報を受信すべくなしてある伝送路の冗長化システムにおいて、前記複数の通信局夫々が前記複数系統の伝送路夫々を介して送信する情報には他の通信局での保存アドレスを指定する情報が付加されており、前記複数の通信局夫々は前記複数系統の伝送路夫々を介して他の通信局から受信した同一情報を同一のアドレスに格納すべくなしてあることを特徴とする。
【００２２】
【発明の実施の形態】
以下本発明をその実施の形態を示す図面に基づいて詳述する。
【００２３】
実施の形態１．
図１は、本発明に係る伝送路の冗長化方法を用いたシステムとしてのバス型ＬＡＮの実施の形態１を示すブロック図である。図１において、１，２は２系統とされたバス型ＬＡＮの幹線伝送路であり、各幹線伝送路１，２には、各ノードから分岐して複数の支線伝送路１０，２０が夫々設けられている。支線伝送路１０，１０，…の１つと、支線伝送路２０，２０，…の１つとは伝送路切替器５を介して監視制御局３へ接続されている。同様に異なる系統の支線伝送路１０，２０の対が伝送路切替器５を介して入出力ターミナル４，４に夫々接続されている。なお、図１においては図示を簡略化するために２つの入出力ターミナル４，４のみを示してある。
【００２４】
監視制御局３は、ＬＡＮのホストとして機能し、各入出力ターミナル４は、ＬＡＮを利用する端末装置等から構成されている。また、２系統とされた幹線伝送路１，２及び支線伝送路１０，２０は、これらの一方を通常用いるための常用系伝送路、他方を常用系伝送路に障害が発生した際に用いる待機系伝送路と夫々してあり、これらの伝送路の系統は各伝送路切替器５により切り替えられるようになっている。
【００２５】
つまり、図１に通常の状態を示す如く、各伝送路切替器５は、各通信局としての監視制御局３又は各入出力ターミナル４を常用系伝送路側に接続しており、この状態においては、常用系伝送路を用いた各通信局の間での通信が可能となっている。そして、例えば常用系伝送路に障害が発生した場合に、監視制御局３及び入出力ターミナル４，４は夫々の伝送路切替器５に対して伝送路切替信号を出力し、各伝送路切替器５がこの伝送路切替信号に応じて伝送路を切り替えるようになっている。
【００２６】
このような障害の検出は、監視制御局３及び入出力ターミナル４，４が個々に実行するが、この検出の原理を次に説明する。
【００２７】
監視制御局３及び入出力ターミナル４，４は、現在使用している伝送路に対して伝送路確認信号を所定時間周期で夫々出力する。この伝送路確認信号は、通常のＬＡＮ通信に用いられるＭＡＣフレームの送信タイミングとは無関係に出力されるが、通常のＭＡＣフレームに同期させてもよい。
【００２８】
図２は、通常のＭＡＣフレームの構成を示す模式図であり、図３は、伝送路確認信号の構成を示す模式図である。図２に示す如く、通常のＭＡＣフレームは、プリアンブルＰＡ、フレーム開始デリミタＳＦＤ、宛先アドレスＤＡ、発信元アドレスＳＡ、データ長ＤＬ、データ本体ＤＢ、及びフレーム検査シーケンスＦＣＳから構成されている。なお、括弧内は各部のオクテット数を示している。
【００２９】
プリアンブルＰＡは、ＭＡＣフレームの先頭に付与される同期記号であり、ＭＡＣフレームの送信時に他のデータとの衝突が検出されても、このプリアンブルＰＡの長さに応じた時間、再送を試みる。フレーム開始デリミタＳＦＤは、データフレームの開始位置を規定する。宛先アドレスＤＡは、宛先となる通信局のＭＡＣアドレスである。発信元アドレスＳＡは、発信元となる通信局のＭＡＣアドレスである。データ長ＤＬは、次に続くデータ本体ＤＢの長さをオクテット数で示す。データ本体ＤＢは、送信対象となるデータそのものである。また、フレーム検査シーケンスＦＣＳは、ＣＲＣ符号を含んだフレームチェック用のシーケンスである。
【００３０】
図３に示す如く、伝送路確認信号は、ＭＡＣフレームの形態を使用し、図２に示した通常のＭＡＣフレームのデータ本体ＤＢを空白としてあり、この部分にＭＡＣフレーム全体のオクテット数を規定数とするための穴埋め（パッド）を挿入してある。これによってＬＡＮの物理層のプロトコルを変更することなく実施することができる。なお、パッドに代えて伝送路確認信号であることを示す情報を挿入するような構成とすることも可能である。
【００３１】
このような伝送路確認信号を、その宛先アドレスＤＡをブロードキャストとして送信し、受信局は、そのデータ本体ＤＢを参照することにより、伝送路確認信号を識別するようになっている。
【００３２】
図４は、伝送路確認信号に基づいて各通信局が伝送路の系統を切り替える際の処理内容を示すフローチャートである。なお、監視制御局３及び各入出力ターミナル４は夫々同一の処理を行なう。まず、他局から伝送路確認信号を最後に受信してから所定時間内に再び伝送路確認信号を受信したか否かをチェックする（ステップ１１）。これは、前述した如く、受信したフレームのデータ本体を参照し、それがパッドであれば伝送路確認信号であると認識する。
【００３３】
所定時間内に受信した場合には、タイマをリセットする等してステップ１１を繰り返す。一方、受信しなかった場合には、現在使用している系統の伝送路に障害が発生したものと判断し、伝送路切替信号を伝送路切替器５へ出力して、伝送路の系統を切り替え（ステップ１２）、再びステップ１１からの処理を繰り返す。
【００３４】
なお、この伝送路の切り替えは、常用系伝送路からの待機系伝送路への切り替え、又は待機系伝送路からの常用系伝送路への切り替えの１方向に限定するものではなく、例えば伝送路切替信号が出力される毎に、伝送路切替器５が常用系及び待機系伝送路に交互に切り替えるように構成することもできる。
【００３５】
また、受信した伝送路切替信号の発信元アドレスを参照して、前記所定時間内に受信しなかった発信元アドレスに基づいて、障害が発生した伝送経路を特定するようにしてもよく、さらに障害が物理的な種類でなければ、コンピュータプログラムを用いて、特定された伝送経路等の情報に基づいて障害診断、障害復旧等を行なわせるように構成してもよい。
【００３６】
以上のように、１箇所の通信局で伝送路の系統の切り替えが実行されると、この通信局からの伝送路確認信号が他の通信局に届かなくなり、結果として全ての通信局が次々に伝送路の系統の切り替えを実行し、やがて全ての通信局が再び同一系統の伝送路を利用することになる。
【００３７】
実施の形態２．
図５は、本発明に係る伝送路の冗長化方法を用いたシステムとしてのバス型ＬＡＮの実施の形態２を示すブロック図である。上述した実施の形態１においては、図４に示した処理動作を監視制御局３及び入出力ターミナル４，４の夫々にて実行する必要があるが、本実施の形態においては、各伝送路切替器５にその処理動作を行なわせることにより、監視制御局３及び入出力ターミナル４，４が備えるソフトウェアに手を加えることなく、実施の形態１と同一の処理を実施することができる。
【００３８】
具体的には、各伝送路切替器５にＣＰＵ５０を設けてあり、ＣＰＵ５０が図４に示した処理動作を行なうようにしてある。
【００３９】
本実施の形態のその他の構成及び動作は実施の形態１と同様であり、重複する部分には同一の参照符号を付してその他の説明は省略する。
【００４０】
実施の形態３．
図６は、本発明に係る伝送路の冗長化方法を用いたシステムとしてのバス型ＬＡＮの実施の形態３を示すブロック図である。本実施の形態は、実施の形態２において１つの局としての管理装置６を伝送路切替器５を介して接続してある。管理装置６は、コンピュータ等の端末装置からなり、モニタ７を備えている。
【００４１】
図７は、伝送路切替情報を含んだ伝送路確認信号の構成を示す模式図である。また、本実施の形態においては、図７に示す如く、常用系伝送路又は待機系伝送路の何れの系統が使用中であるかを示す伝送路切替情報を伝送路確認信号のデータ本体部分に付加してある。なお、伝送路切替情報は、上述した常用系伝送路又は待機系伝送路の何れの系統を使用中かを示す以外の情報を含む構成としてもよく、その内容について限定するものではない。
【００４２】
管理装置６は、伝送路切替情報に基づいた内容をモニタ７上に表示するようになっており、例えば管理装置６がその伝送路切替器５を切り替えた後に、何れの伝送路の系統が使用中であるかを表示するようにしてある。
【００４３】
本実施の形態のその他の構成及び動作は実施の形態２と同様であり、重複する部分には同一の参照符号を付してその他の説明は省略する。
【００４４】
実施の形態４．
図８は、本発明に係る伝送路の冗長化方法を用いたシステムとしてのバス型ＬＡＮの実施の形態４を示すブロック図である。本実施の形態は、実施の形態１に対して、監視制御局３が伝送路切替器５を備えず、実施の形態３の如きモニタ７を備えている構成としてある。
【００４５】
なお、本実施の形態においては、監視制御局３のみが実施の形態３の如き伝送路切替情報を含んだ伝送路確認信号を送信するようになっており、この伝送路確認信号に基づいて各入出力ターミナル４は実施の形態１と同様に伝送路切替信号を出力する。一方、監視制御局３は、各入出力ターミナル４から受信する通常のＭＡＣフレームに基づいて同様の動作を行なうが、次にこの動作を説明する。
【００４６】
図９は、監視制御局３が伝送路を切り替える際の処理内容を示すフローチャートである。まず、入出力ターミナル４から受信した通常のＭＡＣフレームの発信元アドレスを参照してその発信元の入出力ターミナル４を特定する（ステップ２１）。なお、前記ＭＡＣフレームのデータ本体に発信元を特定できる情報を含ませ、この情報に基づいて発信元を特定する構成としてもよい。
【００４７】
次に、前記ＭＡＣフレームが常用系伝送路又は待機系伝送路の何れの系統を経由して送られてきたものかを特定する（ステップ２２）。この判断は、監視制御局３に接続された常用系伝送路又は待機系伝送路の何れの系統からＭＡＣフレームを受信したかを識別することによって判断することが可能であり、また、各入出力ターミナル４から送られるＭＡＣフレームのデータ本体に伝送路切替器５の切替情報を含ませて、この切替情報から判断することも可能である。
【００４８】
そして、特定した系統の伝送路を介して伝送路確認信号を送信し（ステップ２３）、必要であれば、この伝送路確認信号を送信した伝送路の系統を示す情報を、伝送路切替情報としてモニタ７上に表示させる（ステップ２４）。
【００４９】
このように、本実施の形態では監視制御局３が伝送路切替器５を備える必要がなく、また伝送路確認信号を監視制御局３からのみ送信するので、前述した実施の形態１〜３に比べてシステム構成が簡単であり、また伝送路負荷を軽減することもできる。
【００５０】
本実施の形態のその他の構成及び動作は実施の形態１と同様であり、重複する部分には同一の参照符号を付してその他の説明は省略する。
【００５１】
実施の形態５．
図１０は、本発明に係る伝送路の冗長化方法を用いたシステムとしてのバス型ＬＡＮの実施の形態５を示すブロック図である。本実施の形態は、実施の形態１に対して、各通信局が備えていた伝送路切替器５を排除した構成としてある。
【００５２】
図１１は、各通信局のデータ送信処理を示すフローチャートであり、図１２は、各通信局のデータ受信処理を示すフローチャートである。まず、図１１に示す如くデータ送信の際には、送信対象となるデータを含んだ通常のＭＡＣフレームを生成し（ステップ３１）、生成したＭＡＣフレームに宛先での保存アドレスを指定する情報を付加し、このようなＭＡＣフレームを２つ生成する（ステップ３２）。そして、一方のデータを常用系伝送路へ送信し（ステップ３３）、他方のデータを待機系伝送路へ送信する（ステップ３４）。
【００５３】
次に、このようなデータを受信する際には、図１２に示す如く、両方の系統の伝送路から同一データを受信する（ステップ４１）。この際に、何れの系統の伝送路から受信したかを識別することなく、これらのデータに含まれた保存アドレスに保存する（ステップ４２）。従って、一方の系統の伝送路に障害が発生した場合であっても、正常な側の系統の伝送路から同一内容のデータを受信することができるようになっている。
【００５４】
また、本実施の形態においては、実施の形態１〜４に示した如き伝送路確認信号が不要であり、送られたデータを受信側で指定通り保存することによって、伝送路切替時間が不要なシステム構成となる。
【００５５】
本実施の形態のその他の構成及び動作は実施の形態１と同様であり、重複する部分には同一の参照符号を付してその他の説明は省略する。
【００５６】
【発明の効果】
以上詳述した如く本発明に係る伝送路の冗長化方法及びその方法を用いたシステムにおいては、複数系統の伝送路の何れか１つに切替器を介して夫々接続された複数の通信局夫々が所定信号を時系列的に他の通信局へ送信すると共に他の通信局からの前記所定信号を受信し、前記複数の通信局の何れか１つが前記所定信号を所定時間受信できない場合に、前記所定信号を所定時間受信できなかった通信局が前記複数系統の伝送路の何れか１つに自身を接続している切替器へ切替指示を出力して他の系統の伝送路に接続するように切り替えることにより、他の通信局を前記複数系統の伝送路の何れか１つに接続している切替器夫々も前記他の系統の伝送路と接続するように切り替えられる構成とした。従って、複数系統の伝送路の内の何れかの系統の伝送路に障害が発生しても、複数の通信局の何れか１つが障害の発生を検出すれば伝送路の系統が切り替えられるので、この通信局からの伝送路確認信号が他の通信局に届かなくなり、結果として全ての通信局が次々に伝送路の系統の切り替えを実行し、やがて全ての通信局が再び同一系統の伝送路を利用することになる。従って、システム全体がダウンすることがなく、切り替えた後で、システムを使用しながら、障害が発生した系統の伝送路の復旧を図ることができる。更に、前記所定信号に伝送路の切替状態を示す情報を付加し、前記複数系統の伝送路に前記切替器を介して接続された表示手段に前記情報を表示する構成としたので、伝送路の切替状態をオペレータが視覚的に知ることができる。
【００５７】
また、本発明に係る伝送路の冗長化方法及びその方法を用いたシステムにおいては、複数系統の伝送路の何れか１つに複数の通信局を夫々接続する複数の切替器夫々が所定信号を時系列的に他の切替器へ送信すると共に他の切替器からの前記所定信号を受信し、前記複数の切替器の何れか１つが前記所定信号を所定時間受信できない場合に、前記所定信号を所定時間受信できなかった切替器が自身に接続されている系統の伝送路を他の系統の伝送路に切り替えることにより、他の切替器夫々も前記他の系統の伝送路と接続するように切り替えられる構成とした。従って、複数系統の伝送路を備える通信回線に本発明の切替器を取り付けるだけで、上述した発明の通信局が行なっていた機能を切替器に行なわせることができ、既存の通信局のソフトウェアに変更を加える必要がない。更に、前記所定信号に伝送路の切替状態を示す情報を付加し、前記複数系統の伝送路に前記切替器を介して接続された表示手段に前記情報を表示する構成としたので、伝送路の切替状態をオペレータが視覚的に知ることができる。
【００５９】
また、本発明に係る伝送路の冗長化方法及びその方法を用いたシステムにおいては、複数系統の伝送路に接続された第１通信局が前記複数系統の伝送路の何れか１つへ所定信号を時系列的に送信し、前記複数系統の伝送路の何れか１つに切替器を介して接続される複数の第２通信局が前記第１通信局からの前記所定信号を受信し、前記複数の第２通信局の何れか１つが前記所定信号を所定時間受信できない場合に、前記所定信号を所定時間受信できなかった第２通信局が前記複数系統の伝送路の何れか１つに自身を接続している切替器へ切替指示を出力して他の系統の伝送路に接続するように切り替えることにより、他の第２通信局を前記複数系統の伝送路の何れか１つに接続している切替器夫々も前記他の系統の伝送路と接続するように切り替えられる構成とした。従って、第１通信局が切替器を備える必要がなく、より簡易な構成とすることができる。更に、前記所定信号に伝送路の切替状態を示す情報を付加し、前記複数系統の伝送路に前記切替器を介して接続された表示手段に前記情報を表示する構成としたので、伝送路の切替状態をオペレータが視覚的に知ることができる。
【００６０】
また、本発明に係る伝送路の冗長化方法及びその方法を用いたシステムにおいては、複数系統の伝送路に接続された第１通信局が前記複数系統の伝送路の何れか１つへ所定信号を時系列的に送信し、前記複数系統の伝送路の何れか１つに複数の第２通信局を夫々接続する複数の切替器夫々が前記第１通信局からの前記所定信号を受信し、前記複数の切替器の何れか１つが前記所定信号を所定時間受信できない場合に、前記所定信号を所定時間受信できなかった切替器が自身に接続されている系統の伝送路を他の系統の伝送路に接続するように切り替えることにより、他の切替器夫々も前記他の系統の伝送路と接続するように切り替えられる構成とした。従って、例えば、複数系統の伝送路を備える通信回線に本発明の切替器を取り付けるだけで、上述した発明の通信局が行なっていた機能を切替器に行なわせることができ、既存の通信局のソフトウェアに変更を加える必要がない。更に、前記所定信号に伝送路の切替状態を示す情報を付加し、前記複数系統の伝送路に前記切替器を介して接続された表示手段に前記情報を表示する構成としたので、伝送路の切替状態をオペレータが視覚的に知ることができる。
【００６２】
さらに、本発明に係る伝送路の冗長化方法及びその方法を用いたシステムにおいては、複数系統の伝送路に接続された複数の通信局夫々が前記複数系統の伝送路夫々を介して同一情報を他の通信局へ送信し、前記複数の通信局夫々が前記複数系統の伝送路夫々を介して同一情報を他の通信局から受信し、同一のアドレスに格納する構成としたので、いずれか一方の系統の伝送路に障害が発生していてその伝送路から情報を受信できない場合にも他方の伝送路から情報を受信することができるので、上述した何れの発明における切替器を備える必要がなく構成が簡易であり、切り替え自体をも不要とすることができる等、本発明は優れた効果を奏する。
【図面の簡単な説明】
【図１】  本発明に係る伝送路の冗長化方法を用いたシステムとしてのバス型ＬＡＮの実施の形態１を示すブロック図である。
【図２】  通常のＭＡＣフレームの構成を示す模式図である。
【図３】  伝送路確認信号の構成を示す模式図である。
【図４】  伝送路確認信号に基づいて各通信局が伝送路の系統を切り替える際の処理内容を示すフローチャートである。
【図５】  本発明に係る伝送路の冗長化方法を用いたシステムとしてのバス型ＬＡＮの実施の形態２を示すブロック図である。
【図６】  本発明に係る伝送路の冗長化方法を用いたシステムとしてのバス型ＬＡＮの実施の形態３を示すブロック図である。
【図７】  伝送路切替情報を含んだ伝送路確認信号の構成を示す模式図である。
【図８】  本発明に係る伝送路の冗長化方法を用いたシステムとしてのバス型ＬＡＮの実施の形態４を示すブロック図である。
【図９】  監視制御局が伝送路を切り替える際の処理内容を示すフローチャートである。
【図１０】  本発明に係る伝送路の冗長化方法を用いたシステムとしてのバス型ＬＡＮの実施の形態５を示すブロック図である。
【図１１】  各通信局のデータ送信処理を示すフローチャートである。
【図１２】  各通信局のデータ受信処理を示すフローチャートである。
【図１３】  従来のバス型ＬＡＮの構成を示すブロック図である。
【符号の説明】
１  幹線伝送路（常用系）、２  幹線伝送路（待機系）、３  監視制御局、
４  入出力ターミナル、５  伝送路切替器、６  管理装置、７  モニタ、
１０  支線伝送路（常用系）、２０  支線伝送路（待機系）、５０  ＣＰＵ。
【図１】
0003784199.tif 000002
【図２】
0003784199.tif 000003
【図３】
0003784199.tif 000004
【図４】
0003784199.tif 000005
【図５】
0003784199.tif 000006
【図６】
0003784199.tif 000007
【図７】
0003784199.tif 000008
【図８】
0003784199.tif 000009
【図９】
0003784199.tif 000010
【図１０】
0003784199.tif 000011
【図１１】
0003784199.tif 000012
【図１２】
0003784199.tif 000013
【図１３】
0003784199.tif 000014